(57)【要約】  【課題】先行データ放送装置において送出された未定要素を適切に送出することができる遅延データ放送装置を提供する。  【解決手段】先行データ放送装置２０によって第１時刻から放送されるデータ放送番組を時間をずらして第２時刻から放送する遅延データ放送装置３０であって、相対送出時間が添付された確定要素及び相対送出時刻が添付されていない未定要素を含む番組素材ファイルを入手する入手部３４と、先行データ放送装置において所定の未定要素が送出された時刻と第１時刻との差分である相対送出時刻を受信し受信した相対送出時刻と第２時刻との和である絶対送出時刻に達したか否かを監視し絶対送出時刻に達したときに対応する所定の未定要素の送出指示を出す送出時刻遅延部３２と、各確定要素を第２時刻を基準として送出し送出指示を受付けたときに所定の未定要素を送出する送出部３８とを備える。  【選択図】  図１
2004215243.tif 000002
【特許請求の範囲】
【請求項１】
他のデータ放送装置によって第１時刻から放送されるデータ放送番組を、時間をずらして第２時刻から放送するデータ放送装置であって、
放送開始時刻を基準とした相対送出時間がそれぞれに添付された確定要素、及び、当該相対送出時刻が添付されていない未定要素を含む番組素材ファイルを入手する入手手段と、
他のデータ放送装置において所定の未定要素が送出された時刻と前記第１時刻との差分である相対送出時刻を受信する受信手段と、
受信された相対送出時刻と前記第２時刻との和である絶対送出時刻に達したか否かを監視し、絶対送出時刻に達したときに、対応する所定の未定要素の送出指示を出す遅延手段と、
入手手段により入手された番組素材ファイルに含まれる各確定要素を、それぞれに添付されている相対送出時刻に基づいて、前記第２時刻を基準としてそれぞれの送出時刻に送出し、遅延手段より所定の未定要素の送出指示を受付けたときに、入手手段により入手された番組素材ファイルに含まれる対応する所定の未定要素を送出する遅延送出手段と
を備えることを特徴とするデータ放送装置。
【請求項２】
他のデータ放送装置によって第１時刻から放送されるデータ放送番組を、時間をずらして第２時刻から放送するデータ放送装置であって、
放送開始時刻を基準とした相対送出時間がそれぞれに添付された確定要素、及び、当該相対送出時刻が添付されていない未定要素を含む番組素材ファイルを入手する入手手段と、
他のデータ放送装置において所定の未定要素が送出された時刻と前記第１時刻との差分である相対送出時刻を受信する受信手段と、
入手手段により入手された番組素材ファイルに含まれる各確定要素を、それぞれに添付されている相対送出時刻に基づいて、前記第２時刻を基準としてそれぞれの送出時刻に送出し、受信手段により受信された所定の未定要素の相対送出時刻に基づいて、入手手段により入手された番組素材ファイルに含まれる対応する所定の未定要素を、前記第２時刻を基準として送出時刻に送出する遅延送出手段と
を備えることを特徴とするデータ放送装置。
【請求項３】
前記遅延送出手段は、
前記第２時刻より前に、入手手段により入手された番組素材ファイルに含まれる確定要素と未定要素とを分離する分離手段と、
前記第２時刻より前に、分離された確定要素を、それぞれの相対送出時刻に基づいて送出時刻順に配列して保持し、分離された未定要素をそれぞれ独立して保持する配列手段と、
前記受信手段により所定の未定要素の相対送出時刻が受信されたときに、当該相対送出時刻に基づいて、配列手段により独立して保持されている対応する所定の未定要素を、配列手段により配列され保持されている配列中に挿入することにより当該配列を更新する配列更新手段と、
前記配列の中で、未送出かつ一番送出時刻が早い確定要素又は未定要素に対応する相対送出時刻に基づいて、前記第２時刻を基準として、対応する確定要素又は未定要素が送出時刻に達したか否かを監視し、順次送出時刻に達した確定要素又は未定要素の送出を指示する時刻管理手段と、
時刻管理手段による送出の指示に従い、前記配列の中の、未送出かつ一番送出時刻が早い確定要素又は未定要素を、順次対応する確定要素又は未定要素として送出する送出手段と
を備えることを特徴とする請求項２に記載のデータ放送装置。
【請求項４】
他のデータ放送装置によって時間をずらして放送されるデータ放送番組を、所定の時刻から放送するデータ放送装置であって、
放送開始時刻を基準とした相対送出時間がそれぞれに添付された確定要素、及び、当該相対送出時刻が添付されていない未定要素を含む番組素材ファイルを入手する入手手段と、
入手手段により入手された番組素材ファイルに含まれる各確定要素を、それぞれに添付されている相対送出時刻に基づいて、前記所定の時刻を基準としてそれぞれの送出時刻に送出し、外部から所定の未定要素の送出指示を受付けたときに、当該所定の未定要素を送出する先行送出手段と、
所定の未定要素を送出した時刻と前記所定の時刻との差分である相対送出時刻を算出して、他のデータ放送装置へ送信する送信手段と
を備えることを特徴とするデータ放送装置。
【請求項５】
他のデータ放送装置によって時間をずらして放送されるデータ放送番組を、所定の時刻から放送するデータ放送装置であって、
放送開始時刻を基準とした相対送出時間がそれぞれに添付された確定要素、及び、当該相対送出時刻が添付されていない未定要素を含む番組素材ファイルを入手する入手手段と、
入手手段により入手された番組素材ファイルに含まれる各確定要素を、それぞれに添付されている相対送出時刻に基づいて、前記所定の時刻を基準としてそれぞれの送出時刻に送出し、外部から所定の未定要素の送出指示を受付けたときに、当該所定の未定要素を送出する先行送出手段と、
所定の未定要素を送出した時刻と前記所定の時刻との差分である相対送出時刻を算出する算出手段と、
算出手段により算出された相対送出時刻を、入手手段により入手された番組素材ファイルに埋め込んで、対応する所定の未定要素を確定要素に変更し、他のデータ放送装置へ送信する埋込手段と
を備えることを特徴とするデータ放送装置。
【請求項６】
データ放送番組を第１時刻から放送する第１データ放送装置と、前記データ放送番組を時間をずらして第２時刻から放送する第２データ放送装置とを備える時差データ放送システムにおける、時差データ放送方法であって、
第１データ放送装置において、放送開始時刻を基準とした相対送出時刻がそれぞれに添付された確定要素、及び、当該相対送出時刻が添付されていない未定要素を含む番組素材ファイルを入手する先行入手ステップと、
第１データ放送装置において、先行入手ステップにより入手された番組素材ファイルに含まれる各確定要素を、それぞれに添付されている相対送出時刻に基づいて、前記第１時刻を基準としてそれぞれの送出時刻に送出し、外部から所定の未定要素の送出指示を受付けたときに、当該所定の未定要素を送出する先行送出ステップと、
第１データ放送装置において、所定の未定要素を送出した時刻と前記第１時刻との差分である相対送出時刻を算出して、第２データ放送装置へ送信する送信ステップと、
第２データ放送装置において、前記番組素材ファイルを入手する遅延入手ステップと、
第２データ放送装置において、送信ステップにより送信された相対送出時刻を受信する受信ステップと、
第２データ放送装置において、受信された相対送出時刻と前記第２時刻との和である絶対送出時刻に達したか否かを監視し、絶対送出時刻に達したときに、対応する所定の未定要素の送出指示を出す時刻遅延ステップと、
第２データ放送装置において、遅延入手ステップにより入手された番組素材ファイルに含まれる各確定要素を、それぞれに添付されている相対送出時刻に基づいて、前記第２時刻を基準としてそれぞれの送出時刻に送出し、時刻遅延ステップより所定の未定要素の送出指示を受付けたときに、遅延入手ステップにより入手された番組素材ファイルに含まれる対応する所定の未定要素を送出する遅延送出ステップと
を含むことを特徴とする時差データ放送方法。
【請求項７】
データ放送番組を第１時刻から放送する第１データ放送装置と、前記データ放送番組を時間をずらして第２時刻から放送する第２データ放送装置とを備える時差データ放送システムにおける、時差データ放送方法であって、
第１データ放送装置において、放送開始時刻を基準とした相対送出時刻がそれぞれに添付された確定要素、及び、当該相対送出時刻が添付されていない未定要素を含む番組素材ファイルを入手する先行入手ステップと、
第１データ放送装置において、先行入手ステップにより入手された番組素材ファイルに含まれる各確定要素を、それぞれに添付されている相対送出時刻に基づいて、前記第１時刻を基準としてそれぞれの送出時刻に送出し、外部から所定の未定要素の送出指示を受付けたときに、当該所定の未定要素を送出する先行送出ステップと、
第１データ放送装置において、所定の未定要素を送出した時刻と前記第１時刻との差分である相対送出時刻を算出して、第２データ放送装置へ送信する送信ステップと、
第２データ放送装置において、前記番組素材ファイルを入手する遅延入手ステップと、
第２データ放送装置において、送信ステップにより送信された相対送出時刻を受信する受信ステップと、
第２データ放送装置において、遅延入手ステップにより入手された番組素材ファイルに含まれる各確定要素を、それぞれに添付されている相対送出時刻に基づいて、前記第２時刻を基準としてそれぞれの送出時刻に送出し、受信ステップにより受信された所定の未定要素の相対送出時刻に基づいて、遅延入手ステップにより入手された番組素材ファイルに含まれる対応する所定の未定要素を、前記第２時刻を基準として送出時刻に送出する遅延送出ステップと
を含むことを特徴とする時差データ放送方法。
【請求項８】
データ放送番組を第１時刻から放送する第１データ放送装置と、前記データ放送番組を時間をずらして第２時刻から放送する第２データ放送装置とを備える時差データ放送システムにおける、時差データ放送方法であって、
第１データ放送装置において、放送開始時刻を基準とした相対送出時刻がそれぞれに添付された確定要素、及び、当該相対送出時刻が添付されていない未定要素を含む番組素材ファイルを入手する先行入手ステップと、
第１データ放送装置において、先行入手ステップにより入手された番組素材ファイルに含まれる各確定要素を、それぞれに添付されている相対送出時刻に基づいて、前記第１時刻を基準としてそれぞれの送出時刻に送出し、外部から所定の未定要素の送出指示を受付けたときに、当該所定の未定要素を送出する先行送出ステップと、
第１データ放送装置において、所定の未定要素を送出した時刻と前記第１時刻との差分である相対送出時刻を算出する算出ステップと、
第１データ放送装置において、算出ステップにより算出された相対送出時刻を、入手ステップにより入手された番組素材ファイルに埋め込んで、対応する所定の未定要素を確定要素に変更し、第２データ放送装置へ送信する埋込ステップと、
第２データ放送装置において、埋込ステップにより送信された番組素材ファイルを入手する遅延入手ステップと、
第２データ放送装置において、遅延入手ステップにより入手された番組素材ファイルに含まれる各確定要素を、それぞれに添付されている相対送出時刻に基づいて、前記第２時刻を基準としてそれぞれの送出時刻に送出する遅延送出ステップと
を含むことを特徴とする時差データ放送方法。
【発明の詳細な説明】
【技術分野】
【０００１】
本発明は、第１のデータ放送装置において放送されたデータ放送番組を、第２のデータ放送装置において時間をずらして放送する時差データ放送に関し、特に、送出時刻が放送開始時に未定であった要素が第１のデータ放送装置において送出された場合に、当該要素を第２のデータ放送装置において適切に送出するための技術に関する。
【背景技術】
【０００２】
近年、デジタル放送の普及が進み、従来より実施されている衛星デジタル放送に加えて、地上波デジタル放送が実施されつつある。
衛星デジタル放送では日本全土に一斉に同一電波で同一番組を放送することができるが、地上波デジタル放送では日本全土に一斉に放送することはできず、１つの放送局で放送できる範囲は限られており、それぞれの地域の放送局によって地域ごとに番組が放送されることになる。
【０００３】
従来より地上波アナログ放送は、１つのキー局と複数のローカル局からなる系列が存在し、キー局によって作成された番組が系列ローカル局に渡され、系列ローカル局においてキー局と同時に、あるいは時間をずらして放送されており、当然ながら地上波デジタル放送においても従来の地上波アナログ放送と同様に、複数の放送局において同一の番組が同時に、あるいは時間をずらして放送されるものと予想される。
【０００４】
ここで、ある放送局において放送された放送番組を他の放送局において時間をずらして放送する従来の時差放送装置が、特許文献１に開示されている。
一方、デジタル放送では、映像や音声のデータからなる本編番組だけでなく、文字データ等からなるデータ放送番組を放送することができる。
データ放送番組において、本編と関連のあるデータを放送する場合には、本編の映像や音声の変化に同期させて放送するデータの内容を変化させる必要があり、例えば、本編が生放送であって、登場人物に関するデータを放送するような場合には、予め出演が予想される登場人物に関する要素を送出時刻が未定である未定要素として準備しておき、本編の生放送中であって登場人物が出演した時に、番組制作者等がリアルタイムで対応する未定要素の送出操作を行うことによって、データ放送番組における要素毎の適切な送出タイミングを確保している。
【０００５】
また、データ放送の放送局は一般的に、それぞれ同等のデータ放送装置を備え、データ放送番組を構成する番組素材ファイルを交換して、各々が保持する番組素材ファイルに基づいてデータ放送を行う。
【特許文献１】特開平５―２８４１２６号公報
【発明の開示】
【発明が解決しようとする課題】
【０００６】
しかしながら、未定要素を含むデータ放送番組を時差放送する場合には、系列ローカル局はキー局から得たキー局と同様の番組素材ファイルに基づいて、キー局における送出操作のタイミングをそのまま用いても送出のタイミングが合わないし、またキー局と同じように、対応する未定要素の送出操作を人手で行うのはあまりにも非効率なので、未定要素の送出時刻を何らかの方法で自動的に補完する必要がある。
【０００７】
なお、上記においては、キー局とローカル局の２局に限定して説明したが、キー局からから最終のローカル局までの間に、何段階かのローカル局が存在することがあり、このような場合には、上流のローカル局と下流のローカル局との間においても、上記に説明した様なキー局とローカル局における同様の問題が生じる。
よって、本明細書では、キー局及び上流側のローカル局のデータ放送装置を先行データ放送装置と呼び、下流側のローカル局のデータ放送装置を遅延データ放送装置と呼ぶこととする。
【０００８】
そこで、本発明は、未定要素が先行データ放送装置において送出された場合に、当該未定要素を遅延データ放送装置において適切に送出することができる時差データ放送方法、当該先行データ放送装置、及び当該遅延データ放送装置を提供することを目的とする。
【課題を解決するための手段】
【０００９】
上記目的を達成するために、本発明に係る遅延データ放送装置は、他のデータ放送装置によって第１時刻から放送されるデータ放送番組を時間をずらして第２時刻から放送するデータ放送装置であって、放送開始時刻を基準とした相対送出時間がそれぞれに添付された確定要素及び当該相対送出時刻が添付されていない未定要素を含む番組素材ファイルを入手する入手手段と、他のデータ放送装置において所定の未定要素が送出された時刻と前記第１時刻との差分である相対送出時刻を受信する受信手段と、受信された相対送出時刻と前記第２時刻との和である絶対送出時刻に達したか否かを監視し絶対送出時刻に達したときに、対応する所定の未定要素の送出指示を出す遅延手段と、入手手段により入手された番組素材ファイルに含まれる各確定要素をそれぞれに添付されている相対送出時刻に基づいて前記第２時刻を基準としてそれぞれの送出時刻に送出し、遅延手段より所定の未定要素の送出指示を受付けたときに入手手段により入手された番組素材ファイルに含まれる対応する所定の未定要素を送出する遅延送出手段とを備えることを特徴とする。
【００１０】
上記目的を達成するために、本発明に係る先行データ放送装置は、他のデータ放送装置によって時間をずらして放送されるデータ放送番組を所定の時刻から放送するデータ放送装置であって、放送開始時刻を基準とした相対送出時間がそれぞれに添付された確定要素及び当該相対送出時刻が添付されていない未定要素を含む番組素材ファイルを入手する入手手段と、入手手段により入手された番組素材ファイルに含まれる各確定要素をそれぞれに添付されている相対送出時刻に基づいて前記所定の時刻を基準としてそれぞれの送出時刻に送出し、外部から所定の未定要素の送出指示を受付けたときに当該所定の未定要素を送出する先行送出手段と、所定の未定要素を送出した時刻と前記所定の時刻との差分である相対送出時刻を算出して他のデータ放送装置へ送信する送信手段とを備えることを特徴とする。
【００１１】
上記目的を達成するために、本発明に係る時差データ放送方法は、データ放送番組を第１時刻から放送する第１データ放送装置と前記データ放送番組を時間をずらして第２時刻から放送する第２データ放送装置とを備える時差データ放送システムにおける時差データ放送方法であって、第１データ放送装置において、放送開始時刻を基準とした相対送出時刻がそれぞれに添付された確定要素及び当該相対送出時刻が添付されていない未定要素を含む番組素材ファイルを入手する先行入手ステップと、第１データ放送装置において、先行入手ステップにより入手された番組素材ファイルに含まれる各確定要素をそれぞれに添付されている相対送出時刻に基づいて前記第１時刻を基準としてそれぞれの送出時刻に送出し、外部から所定の未定要素の送出指示を受付けたときに当該所定の未定要素を送出する先行送出ステップと、第１データ放送装置において、所定の未定要素を送出した時刻と前記第１時刻との差分である相対送出時刻を算出して第２データ放送装置へ送信する送信ステップと、第２データ放送装置において、前記番組素材ファイルを入手する遅延入手ステップと、第２データ放送装置において、送信ステップにより送信された相対送出時刻を受信する受信ステップと、第２データ放送装置において、受信された相対送出時刻と前記第２時刻との和である絶対送出時刻に達したか否かを監視し絶対送出時刻に達したときに対応する所定の未定要素の送出指示を出す時刻遅延ステップと、第２データ放送装置において、遅延入手ステップにより入手された番組素材ファイルに含まれる各確定要素をそれぞれに添付されている相対送出時刻に基づいて前記第２時刻を基準としてそれぞれの送出時刻に送出し、時刻遅延ステップより所定の未定要素の送出指示を受付けたときに遅延入手ステップにより入手された番組素材ファイルに含まれる対応する所定の未定要素を送出する遅延送出ステップとを含むことを特徴とする。
【発明の効果】
【００１２】
本発明に係る遅延データ放送装置は、課題を解決するための手段に記載した構成により、主要部の構成を先行データ放送装置と同等にしつつ、未定要素の送出時刻を自動的に補完することができる。
従って、遅延番組を放送するために専用の装置を用いたり多くの構成を追加したりせずに、未定要素を先行データ放送装置によって放送された時と同様のタイミングで送出することができる。
【００１３】
本発明に係る遅延データ放送装置は、他のデータ放送装置によって第１時刻から放送されるデータ放送番組を時間をずらして第２時刻から放送するデータ放送装置であって、放送開始時刻を基準とした相対送出時間がそれぞれに添付された確定要素及び当該相対送出時刻が添付されていない未定要素を含む番組素材ファイルを入手する入手手段と、他のデータ放送装置において所定の未定要素が送出された時刻と前記第１時刻との差分である相対送出時刻を受信する受信手段と、入手手段により入手された番組素材ファイルに含まれる各確定要素をそれぞれに添付されている相対送出時刻に基づいて前記第２時刻を基準としてそれぞれの送出時刻に送出し、受信手段により受信された所定の未定要素の相対送出時刻に基づいて入手手段により入手された番組素材ファイルに含まれる対応する所定の未定要素を前記第２時刻を基準として送出時刻に送出する遅延送出手段とを備えることを特徴とする。
【００１４】
これにより、主要部の構成を先行データ放送装置と同等にしつつ、未定要素の送出時刻を自動的に補完することができる。
従って、遅延番組を放送するために専用の装置を用いたり多くの構成を追加したりせずに、未定要素を先行データ放送装置によって放送された時と同様のタイミングで送出することができる。
【００１５】
また、遅延データ放送装置において、前記遅延送出手段は、前記第２時刻より前に入手手段により入手された番組素材ファイルに含まれる確定要素と未定要素とを分離する分離手段と、前記第２時刻より前に分離された確定要素をそれぞれの相対送出時刻に基づいて送出時刻順に配列して保持し分離された未定要素をそれぞれ独立して保持する配列手段と、前記受信手段により所定の未定要素の相対送出時刻が受信されたときに当該相対送出時刻に基づいて配列手段により独立して保持されている対応する所定の未定要素を配列手段により配列され保持されている配列中に挿入することにより当該配列を更新する配列更新手段と、前記配列の中で未送出かつ一番送出時刻が早い確定要素又は未定要素に対応する相対送出時刻に基づいて前記第２時刻を基準として対応する確定要素又は未定要素が送出時刻に達したか否かを監視し順次送出時刻に達した確定要素又は未定要素の送出を指示する時刻管理手段と、時刻管理手段による送出の指示に従い前記配列の中の未送出かつ一番送出時刻が早い確定要素又は未定要素を順次対応する確定要素又は未定要素として送出する送出手段とを備えることを特徴とすることもできる。
【００１６】
これにより、所定の未定要素の相対送出時刻が受信される度に配列を更新することができる。
従って、遅延開始時刻より前に受信された所定の未定要素の相対送出時刻は、放送が始まる前に処理することができるので、以後所定の未定要素を確定要素と同様の処理にて送出することができ装置の負担を分散させることができ、また、遅延開始時刻より後に受信された所定の未定要素の相対送出時刻は、放送中に処理することができるので、あまり時間差のない時差放送においても適切に、未定要素を先行データ放送装置によって放送された時と同様のタイミングで送出することができる。
【００１７】
本発明に係る先行データ放送装置は、課題を解決するための手段に記載した構成により、未定要素の相対送出時刻を算出して遅延データ放送装置へ送信することができるので、遅延データ放送装置に当該未定要素を適切に送出させる為に必要な情報を与えることができる。
従って、遅延番組を放送するために専用の装置を用いたり多くの構成を追加したりせずに、未定要素を遅延データ放送装置において同様のタイミングで送出させることができる。
【００１８】
本発明に係る先行データ放送装置は、他のデータ放送装置によって時間をずらして放送されるデータ放送番組を所定の時刻から放送するデータ放送装置であって、放送開始時刻を基準とした相対送出時間がそれぞれに添付された確定要素及び当該相対送出時刻が添付されていない未定要素を含む番組素材ファイルを入手する入手手段と、入手手段により入手された番組素材ファイルに含まれる各確定要素をそれぞれに添付されている相対送出時刻に基づいて前記所定の時刻を基準としてそれぞれの送出時刻に送出し、外部から所定の未定要素の送出指示を受付けたときに当該所定の未定要素を送出する先行送出手段と、所定の未定要素を送出した時刻と前記所定の時刻との差分である相対送出時刻を算出する算出手段と、算出手段により算出された相対送出時刻を入手手段により入手された番組素材ファイルに埋め込んで対応する所定の未定要素を確定要素に変更し他のデータ放送装置へ送信する埋込手段とを備えることを特徴とする。
【００１９】
これにより、未定要素の相対送出時刻を算出して番組素材ファイルに埋め込んで遅延データ放送装置へ送信することができるので、遅延データ放送装置に当該未定要素を適切に送出させる為に必要な情報を与えることができる。
従って、遅延番組を放送するために専用の装置を用いたり多くの構成を追加したりせずに、未定要素を遅延データ放送装置において同様のタイミングで送出させることができる。
【００２０】
本発明に係る時差データ放送方法は、課題を解決するための手段に記載した構成により、先行データ放送装置と遅延データ放送装置との基本的な動作を共通にしつつ、未定要素を先行データ放送装置によって放送された時と同様のタイミングで遅延データ放送装置において送出することができる。
従って、遅延番組を放送するために専用の装置を用いたり多くの構成を追加したりせずに、遅延データ放送装置において未定要素を先行データ放送装置によって放送された時と同様のタイミングで送出することができる。
【００２１】
本発明に係る時差データ放送方法は、データ放送番組を第１時刻から放送する第１データ放送装置と前記データ放送番組を時間をずらして第２時刻から放送する第２データ放送装置とを備える時差データ放送システムにおける時差データ放送方法であって、第１データ放送装置において、放送開始時刻を基準とした相対送出時刻がそれぞれに添付された確定要素及び当該相対送出時刻が添付されていない未定要素を含む番組素材ファイルを入手する先行入手ステップと、第１データ放送装置において、先行入手ステップにより入手された番組素材ファイルに含まれる各確定要素をそれぞれに添付されている相対送出時刻に基づいて前記第１時刻を基準としてそれぞれの送出時刻に送出し、外部から所定の未定要素の送出指示を受付けたときに当該所定の未定要素を送出する先行送出ステップと、第１データ放送装置において、所定の未定要素を送出した時刻と前記第１時刻との差分である相対送出時刻を算出して第２データ放送装置へ送信する送信ステップと、第２データ放送装置において、前記番組素材ファイルを入手する遅延入手ステップと、第２データ放送装置において、送信ステップにより送信された相対送出時刻を受信する受信ステップと、第２データ放送装置において、遅延入手ステップにより入手された番組素材ファイルに含まれる各確定要素をそれぞれに添付されている相対送出時刻に基づいて前記第２時刻を基準としてそれぞれの送出時刻に送出し、受信ステップにより受信された所定の未定要素の相対送出時刻に基づいて遅延入手ステップにより入手された番組素材ファイルに含まれる対応する所定の未定要素を前記第２時刻を基準として送出時刻に送出する遅延送出ステップとを含むことを特徴とする。
【００２２】
これにより、先行データ放送装置と遅延データ放送装置との基本的な動作を共通にしつつ、未定要素を先行データ放送装置によって放送された時と同様のタイミングで遅延データ放送装置において送出することができる。
従って、遅延番組を放送するために専用の装置を用いたり多くの構成を追加したりせずに、遅延データ放送装置において未定要素を先行データ放送装置によって放送された時と同様のタイミングで送出することができる。
【００２３】
本発明に係る時差データ放送方法は、データ放送番組を第１時刻から放送する第１データ放送装置と前記データ放送番組を時間をずらして第２時刻から放送する第２データ放送装置とを備える時差データ放送システムにおける時差データ放送方法であって、第１データ放送装置において、放送開始時刻を基準とした相対送出時刻がそれぞれに添付された確定要素及び当該相対送出時刻が添付されていない未定要素を含む番組素材ファイルを入手する先行入手ステップと、第１データ放送装置において、先行入手ステップにより入手された番組素材ファイルに含まれる各確定要素をそれぞれに添付されている相対送出時刻に基づいて前記第１時刻を基準としてそれぞれの送出時刻に送出し、外部から所定の未定要素の送出指示を受付けたときに当該所定の未定要素を送出する先行送出ステップと、第１データ放送装置において、所定の未定要素を送出した時刻と前記第１時刻との差分である相対送出時刻を算出する算出ステップと、第１データ放送装置において、算出ステップにより算出された相対送出時刻を入手ステップにより入手された番組素材ファイルに埋め込んで対応する所定の未定要素を確定要素に変更し第２データ放送装置へ送信する埋込ステップと、第２データ放送装置において、埋込ステップにより送信された番組素材ファイルを入手する遅延入手ステップと、第２データ放送装置において、遅延入手ステップにより入手された番組素材ファイルに含まれる各確定要素をそれぞれに添付されている相対送出時刻に基づいて前記第２時刻を基準としてそれぞれの送出時刻に送出する遅延送出ステップとを含むことを特徴とする。
【００２４】
これにより、未定要素の相対送出時刻を算出して番組素材ファイルに埋め込んで遅延データ放送装置へ送信することができるので、遅延データ放送装置に当該未定要素を適切に送出させる為に必要な情報を与えることができる。
従って、遅延番組を放送するために専用の装置を用いたり多くの構成を追加したりせずに、未定要素を遅延データ放送装置において同様のタイミングで送出させることができる。
【発明を実施するための最良の形態】
【００２５】
（実施の形態１）
＜構成＞
図１は、本発明の実施の形態１における時差データ放送システムを示す図である。
図１に示すように、実施の形態１の時差データ放送システムは、番組素材制作装置１０、先行データ放送装置２０、及び遅延データ放送装置３０を備える。
【００２６】
番組素材制作装置１０は、キー局等においてデータ放送番組の複数の要素を含む番組素材及びその管理情報を制作するものであり、制作した番組素材及びその管理情報を先行データ放送装置２０、及び遅延データ放送装置３０へ送信する。
図２は、番組素材制作装置１０により制作された管理情報の一例を示す図である。
図２によれば、番組素材名が「番組素材１」の管理情報は、番組時間長が「００：２０：００」（２０分０秒）、要素名が「シーン１」、「シーン２」、「トリガ１」、「トリガ２」の４つであり、相対送出時刻がそれぞれ、「００：００：００」（０秒）、「００：１０：００」（１０分０秒）、「未定」、「未定」である。
【００２７】
ここで、相対送出時刻とは、放送開始時刻を基準とした相対時間により指定される要素毎に個別の送出時刻を示す。
先行データ放送装置２０は、キー局等において先行番組を放送するものであり、時刻未定要素抽出部２１、先行番組編成部２２、送出時刻確定部２３、及び先行番組送出部２４を備える。
【００２８】
遅延データ放送装置３０は、ローカル局等において遅延番組を放送するものであり、遅延番組編成部３１、送出時刻遅延部３２、及び遅延番組送出部３３を備える。
時刻未定要素抽出部２１は、先行番組の放送開始時刻より前に、番組素材制作装置１０から送信された管理情報から、番組素材毎に、相対送出時刻が「未定」である要素の全てを時刻未定要素として抽出して、抽出結果を送出時刻確定部２３に登録する。
【００２９】
図３は、時刻未定要素抽出部２１による抽出結果の一例を示す図である。
図３によれば、番組素材「番組素材１」の時刻未定要素は、「トリガ１」、「トリガ２」の２つである。
先行番組編成部２２は、先行データ放送装置２０における先行番組の放送開始日時及び時刻等をオペレータから受け付けることにより、番組素材毎の編成情報を編成して送出時刻確定部２３、及び先行番組送出部２４に渡す。
【００３０】
図４は、先行番組編成部２２により編成された編成情報の一例を示す図である。
図４によれば、番組素材「番組素材１」の編成情報は、放送年月日が「２００２年１２月１９日」、放送開始時刻が「１２：００：００」（１２時０分０秒）である。
送出時刻確定部２３は、時刻未定要素抽出部２１によって登録された抽出結果に基づいて、オペレータが時刻未定要素毎にリアルタイムで送出操作を行うことによって、対応する時刻未定要素の送出を先行番組送出部２４へ指示し、また、送出を指示した絶対時刻から、先行番組の放送開始時刻を減算する事によって相対送出時刻を算出して、遅延データ放送装置３０へ送信する。
【００３１】
図５は、送出時刻確定部２３から先行番組送出部２４への送出の指示の一例を示す図である。
図５によれば、番組素材「番組素材１」の時刻未定要素「トリガ１」の送出の指示がなされている。
例えば、図５に示すような送出の指示が「２００２年１２月１９日」、「１２：０５：００」（１２時５分０秒）に出されたとすると、送出時刻確定部２３は、この絶対時刻から、図４に示すような放送開始時刻「１２：００：００」（１２時０分０秒）を減算して、相対送出時刻「００：０５：００」（５分０秒）を算出して、番組素材「番組素材１」の時刻未定要素「トリガ１」を相対送出時刻「００：０５：００」に送出したことを意味する相対送出時刻情報を遅延データ放送装置３０へ送信する。
【００３２】
図６は、送出時刻確定部２３から遅延データ放送装置３０へ送信される相対送出時刻情報の一例を示す図である。
図６によれば、番組素材「番組素材１」の時刻未定要素「トリガ１」を相対送出時刻「００：０５：００」に送出したことを意味する相対送出時刻情報が送信されている。
先行番組送出部２４は、番組素材制作装置１０から送信された管理情報、及び先行番組編成部２２から渡された編成情報に基づいて、先行番組を送出する。
【００３３】
図１に示すように、先行番組送出部２４は、入手部２５、分離部２６、配列部２７、時刻管理部２８、及び送出部２９を含む。
入手部２５は、先行番組の放送開始時刻より前に、番組素材制作装置１０から送信された番組素材及びその管理情報を入手する。
分離部２６は、先行番組の放送開始時刻より前に、入手部２５により入手された管理情報に基づいて、番組素材毎に、相対送出時刻が「未定」でない要素を時刻確定要素として、全ての要素を時刻未定要素と時刻確定要素とに分離する。
【００３４】
配列部２７は、分離された時刻確定要素を、それぞれの相対送出時刻に基づいて送出時刻順に配列して保持し、分離された時刻未定要素をそれぞれ独立して保持する。
時刻管理部２８は、先行番組編成部２２から渡された編成情報に基づいて、番組素材毎に放送開始時刻に至るか否かを監視し、放送開始時刻に至った番組素材については、対応する時刻確定要素の配列の中の未送出かつ一番送出時刻が早い時刻確定要素に対応する相対送出時刻と、当該編成情報とから求められる絶対送出時刻に至るか否かを監視し、絶対送出時刻に至った時刻確定要素の送出を順次送出部２９へ指示する。
【００３５】
送出部２９は、時刻管理部２８からの時刻確定要素の送出の指示に従い、配列部２７により配列され保持された時刻確定要素の配列の中の未送出かつ一番送出時刻が早い時刻確定要素を、対応する時刻確定要素として取得して送出し、また、送出時刻確定部２３からの時刻未定要素の送出の指示に従い、配列部２７により独立して保持された対応する時刻未定要素を取得して送出する。
【００３６】
例えば、図２に示す管理情報であり、図４に示す編成情報であり、図５に示す送出の指示が「２００２年１２月１９日」、「１２：０５：００」（１２時５分０秒）に出された場合には、２００２年１２月１９日の１２時０分０秒に「シーン１」が送出され、５分後の１２時５分０秒に「トリガ１」が送出され、さらに５分後の１２時１０分０秒に「シーン２」が送出される。
【００３７】
遅延番組編成部３１は、遅延データ放送装置３０における遅延番組の放送開始日時及び時刻等をオペレータから受け付けることにより、番組素材毎の編成情報を編成して送出時刻遅延部３２、及び遅延番組送出部３３に渡す。
図７は、遅延番組編成部３１により編成された編成情報の一例を示す図である。
図７によれば、番組素材「番組素材１」の編成情報は、放送年月日が「２００２年１２月１９日」、放送開始時刻が「１２：１０：００」（１２時１０分０秒）である。
【００３８】
送出時刻遅延部３２は、送出時刻確定部２３から送信された時刻未定要素毎の相対送出時刻を受信し、遅延番組編成部３１から渡された編成情報に基づいて、各相対送出時刻に放送開始時刻を加算することにより時刻未定要素毎の絶対送出時刻を算出し、遅延番組の放送中に、ここで算出した絶対送出時刻に基づいて、時刻未定要素毎に絶対送出時刻に至るか否かを監視し、絶対送出時刻に至った時刻未定要素の送出を遅延番組送出部３３へ指示する。
【００３９】
例えば、図６に示すような時刻未定要素「トリガ１」の相対送出時刻「００：０５：００」（５分０秒）が、送出時刻確定部２３から送信されたとすると、送出時刻遅延部３２は、これを受信して、この相対送出時刻「００：０５：００」（５分０秒）に、放送年月日「２００２年１２月１９日」、放送開始時刻「１２：１０：００」（１２時１０分０秒）を加算して、時刻未定要素「トリガ１」の絶対送出時刻「２００２年１２月１９日、１２：１５：００」（１２時５分０秒）を算出し、遅延番組の放送中である「２００２年１２月１９日、１２：１０：００」（１２時１０分０秒）から２００２年１２月１９日、１２：３０：００」（１２時３０分０秒）の間に、絶対送出時刻「２００２年１２月１９日、１２：１５：００」（１２時１５分０秒）に至るか否かを監視し、絶対送出時刻「２００２年１２月１９日、１２：１５：００」（１２時１５分０秒）に至ったときに、時刻未定要素「トリガ１」の送出を遅延番組送出部３３へ指示する。
【００４０】
図８は、送出時刻遅延部３２から遅延番組送出部３３への送出の指示の一例を示す図である。
図８によれば、番組素材「番組素材１」の時刻未定要素「トリガ１」の送出が、絶対送出時刻「２００２年１２月１９日、１２：１５：００」（１２時１５分０秒）に指示される。
【００４１】
遅延番組送出部３３は、番組素材制作装置１０から送信された管理情報、及び
遅延番組編成部３１から渡された編成情報に基づいて、遅延番組を送出する。
図１に示すように、遅延番組送出部３３は、入手部３４、分離部３５、配列部３６、時刻管理部３７、及び送出部３８を含む。
入手部３４は、遅延番組の放送開始時刻より前に、番組素材制作装置１０から送信された番組素材及びその管理情報を入手する。
【００４２】
分離部３５は、遅延番組の放送開始時刻より前に、入手部３４により入手された管理情報に基づいて、番組素材毎に、相対送出時刻が「未定」でない要素を時刻確定要素とし、全ての要素を時刻未定要素と時刻確定要素とに分離する。
配列部３６は、分離された時刻確定要素を、それぞれの相対送出時刻に基づいて送出時刻順に配列して保持し、分離された時刻未定要素をそれぞれ独立して保持する。
【００４３】
時刻管理部３７は、遅延番組編成部３１から渡された編成情報に基づいて、番組素材毎に放送開始時刻に至るか否かを監視し、放送開始時刻に至った番組素材については、対応する時刻確定要素の配列の中の未送出かつ一番送出時刻が早い時刻確定要素に対応する相対送出時刻と、当該編成情報とから求められる絶対送出時刻に至るか否かを監視し、絶対送出時刻に至った時刻確定要素の送出を送出部３８へ指示する。
【００４４】
送出部３８は、時刻管理部３７からの時刻確定要素の送出の指示に従い、配列部３６により配列され保持された時刻確定要素の配列の中の未送出かつ一番送出時刻が早い時刻確定要素を、対応する時刻確定要素として取得して送出し、また、送出時刻遅延部３２からの時刻未定要素の送出の指示に従い、配列部３６により独立して保持された対応する時刻未定要素を取得して送出する。
【００４５】
例えば、図２に示す管理情報であり、図７に示す編成情報であり、図６に示す相対送出時刻が受信された場合には、２００２年１２月１９日の１２時１０分０秒に「シーン１」が送出され、５分後の１２時１５分０秒に「トリガ１」が送出され、さらに５分後の１２時２０分０秒に「シーン２」が送出される。
＜動作＞
図９は、先行番組を放送する際の先行データ放送装置２０の動作を示す図である。
【００４６】
以下に、図２〜図６、及び図９を用いて先行番組を放送する際の先行データ放送装置２０の動作を説明する。
（１）入手部２５が、番組素材制作装置１０から送信された番組素材及びその管理情報を入手する（ステップＳ１）。ここでは、４つの要素「シーン１」、「シーン２」、「トリガ１」、「トリガ２」からなる番組素材「番組素材１」、及び図２に示すような管理情報を入手する。
【００４７】
（２）分離部２６は、入手部２５により入手された管理情報に基づいて、番組素材毎に、相対送出時刻が「未定」でない要素を時刻確定要素とし、全ての要素を時刻未定要素と時刻確定要素とに分離する（ステップＳ２）。ここでは、図２に示すような管理情報に基づいて、２つの時刻未定要素「トリガ１」、「トリガ２」と、２つの時刻確定要素「シーン１」、「シーン２」とに分離する。
【００４８】
（３）配列部２７が、分離された時刻確定要素を、それぞれの相対送出時刻に基づいて送出時刻順に配列して保持し、分離された時刻未定要素をそれぞれ独立して保持する（ステップＳ３）。ここでは、２つの時刻確定要素を「シーン１」、「シーン２」の順に配列して保持し、２つの時刻未定要素「トリガ１」、「トリガ２」をそれぞれ独立して保持する。
【００４９】
（４）時刻未定要素抽出部２１が、番組素材制作装置１０から送信された管理情報から、番組素材毎に、相対送出時刻が「未定」である要素の全てを時刻未定要素として抽出して、抽出結果を送出時刻確定部２３に登録する（ステップＳ４）。ここでは、図２に示すような管理情報から、図３に示すような抽出結果を得る。
（５）先行番組編成部２２が、番組素材毎の編成情報を編成して送出時刻確定部２３、及び先行番組送出部２４に渡す（ステップＳ５）。ここでは、図４に示すような編成情報を編成する。
【００５０】
（６）時刻管理部２８が、先行番組編成部２２から渡された編成情報に基づいて、番組素材毎に放送開始時刻に至るか否かを監視する（ステップＳ６）。ここでは、図４に示すような編成情報に基づいて、番組素材「番組素材１」の放送開始時刻２００２年１２月１９日１２時０分０秒に至るか否かを監視する。
（７）何れかの番組素材が放送開始時刻に至った場合は、時刻管理部２８が、放送開始時刻に至った番組素材について、対応する時刻確定要素の配列の中で、一番送出時刻が早い時刻確定要素に対応する相対送出時刻が「００：００：００」（０秒）であるか否かを判断する。「００：００：００」（０秒）でない場合は、ステップＳ８の処理を行わずにステップＳ９へ飛ぶ（ステップＳ７）。ここでは、「シーン１」の相対送出時刻が「００：００：００」（０秒）なので、「００：００：００」（０秒）であると判断する。
【００５１】
（８）ステップＳ７において「００：００：００」（０秒）であると判断された場合は、時刻管理部２８が該当する時刻確定要素の送出を送出部２９へ指示し、送出部２９が指示された時刻確定要素の送出を開始する（ステップＳ８）。ここでは、時刻確定要素「シーン１」の送出を開始する。
（９）時刻管理部２８が、放送開始時刻に至った番組素材の番組放送時間の計測を開始する（ステップＳ９）。ここでは、２００２年１２月１９日１２時０分０秒に、番組素材「番組素材１」の番組放送時間の計測を開始する。
【００５２】
（１０）時刻管理部２８が、番組放送時間長を経過するか否かを監視する（ステップＳ１０）。ここでは、図２に示すような番組放送時間長「００：２０：００」（２０分０秒）を経過するか否かを監視する。
（１１）番組放送時間長を経過していない場合には、送出時刻確定部２３が、
何れかの時刻未定要素の送出操作が行われたか否かを判断する。何れの時刻未定要素の送出操作も行われていない場合はステップＳ１２〜Ｓ１３の処理を行わずにステップＳ１４へ飛ぶ（ステップＳ１１）。ここでは、２００３年１２月１９日１２時５分０秒に、時刻未定要素「トリガ１」の送出操作が行われる。
【００５３】
（１２）何れかの時刻未定要素の送出操作が行われた場合は、送出時刻確定部２３が、対応する時刻未定要素の送出を先行番組送出部２４へ指示し、また、送出を指示した絶対時刻から、先行番組の放送開始時刻を減算する事によって相対送出時刻を算出して、遅延データ放送装置３０へ送信する（ステップＳ１２）。ここでは、図５に示すような送出の指示が２００３年１２月１９日１２時５分０秒に出され、また、この時刻から先行番組の放送開始時刻２００２年１２月１９日１２時０分０秒を減算する事によって相対送出時刻「５分０秒」を算出して、図６に示すような相対送出時刻情報を遅延データ放送装置３０へ送信する。
【００５４】
（１３）送出部２９が、送出時刻確定部２３からの時刻未定要素の送出の指示に従い、対応する時刻未定要素を送出する（ステップＳ１３）。ここでは、２００３年１２月１９日１２時５分０秒に時刻未定要素「トリガ１」を送出する。
（１４）時刻管理部２８が、未送出の時刻確定要素が有るか否かを判断する。未送出の時刻確定要素が無い場合は、番組放送時間長を経過するか否かの監視（ステップＳ１０）へ戻る（ステップＳ１４）。ここでは、２００３年１２月１９日１２時１０分０秒までは未送出の時刻確定要素が有ると判断し、この時刻以降は無いと判断する。
【００５５】
（１５）未送出の時刻確定要素が有る場合は、時刻管理部２８が、未送出かつ一番送出時刻が早い時刻確定要素に対応する相対送出時刻と、当該編成情報とから求められる絶対送出時刻に至るか否かを監視する。絶対送出時刻に至っていない場合は、ステップＳ１６の処理を行わずに、時刻未定要素の送出操作が行われたか否かの判断（ステップＳ１１）に戻る（ステップＳ１５）。ここでは、２００３年１２月１９日１２時１０分０秒に、「シーン２」が絶対送出時刻に至っていると判断する。
【００５６】
（１６）絶対送出時刻に至っている場合は、時刻管理部２８が、該当する時刻確定要素の送出を送出部２９へ指示し、送出部２９が指示された時刻確定要素の送出を開始し、時刻未定要素の送出操作が行われたか否かの判断（ステップＳ１１）に戻る（ステップＳ１６）。ここでは、２００３年１２月１９日１２時１０分０秒に、時刻確定要素「シーン２」の送出を開始する。
【００５７】
（１７）番組放送時間長を経過している場合には、時刻管理部２８が、未処理の番組素材が有るか否かを判断する。ここで有ると判断した場合には他の番組素材の処理の為にステップＳ６へ戻り、無いと判断した場合には処理を終了する（ステップＳ１７）。ここでは、未処理の番組素材が無いと判断して処理を終了する。
図１０は、遅延行番組を放送する際の遅延データ放送装置３０の動作を示す図である。
【００５８】
以下に、図２、図６〜図８、及び図１０を用いて遅延番組を放送する際の遅延データ放送装置３０の動作を説明する。
（１）入手部３４が、番組素材制作装置１０から送信された番組素材及びその管理情報を入手する（ステップＳ２１）。ここでは、４つの要素「シーン１」、「シーン２」、「トリガ１」、「トリガ２」からなる番組素材「番組素材１」、及び図２に示すような管理情報を入手する。
【００５９】
（２）分離部３５は、入手部３４により入手された管理情報に基づいて、番組素材毎に、相対送出時刻が「未定」でない要素を時刻確定要素とし、全ての要素を時刻未定要素と時刻確定要素とに分離する（ステップＳ２２）。ここでは、図２に示すような管理情報に基づいて、２つの時刻未定要素「トリガ１」、「トリガ２」と、２つの時刻確定要素「シーン１」、「シーン２」とに分離する。
【００６０】
（３）配列部３６が、分離された時刻確定要素を、それぞれの相対送出時刻に基づいて送出時刻順に配列して保持し、分離された時刻未定要素をそれぞれ独立して保持する（ステップＳ２３）。ここでは、２つの時刻確定要素を「シーン１」、「シーン２」の順に配列して保持し、２つの時刻未定要素「トリガ１」、「トリガ２」をそれぞれ独立して保持する。
【００６１】
（４）遅延番組編成部３１が、番組素材毎の編成情報を編成して送出時刻遅延部３２、及び遅延番組送出部３３に渡す（ステップＳ２４）。ここでは、図７に示すような編成情報を編成する。
（５）時刻管理部３７が、遅延番組編成部３１から渡された編成情報に基づいて、番組素材毎に放送開始時刻に至るか否かを監視する（ステップＳ２５）。ここでは、図７に示すような編成情報に基づいて、番組素材「番組素材１」の放送開始時刻２００２年１２月１９日１２時１０分０秒に至るか否かを監視する。
【００６２】
（６）何れかの番組素材が放送開始時刻に至った場合は、時刻管理部３７が、放送開始時刻に至った番組素材について、対応する時刻確定要素の配列の中で、一番送出時刻が早い時刻確定要素に対応する相対送出時刻が「００：００：００」（０秒）であるか否かを判断する。「００：００：００」（０秒）でない場合は、ステップＳ２７の処理を行わずにステップＳ２８へ飛ぶ（ステップＳ２６）。ここでは、「シーン１」の相対送出時刻が「００：００：００」（０秒）なので、「００：００：００」（０秒）であると判断する。
【００６３】
（７）ステップＳ２６において「００：００：００」（０秒）であると判断された場合は、時刻管理部３７が該当する時刻確定要素の送出を送出部３８へ指示し、送出部３８が指示された時刻確定要素の送出を開始する（ステップＳ２７）。ここでは、時刻確定要素「シーン１」の送出を開始する。
（８）時刻管理部３７が、放送開始時刻に至った番組素材の番組放送時間の計測を開始する（ステップＳ２８）。ここでは、２００２年１２月１９日１２時１０分０秒に、番組素材「番組素材１」の番組放送時間の計測を開始する。
【００６４】
（９）時刻管理部３７が、番組放送時間長を経過するか否かを監視する（ステップＳ２９）。ここでは、図２に示すような番組放送時間長「００：２０：００」（２０分０秒）を経過するか否かを監視する。
（１０）番組放送時間長を経過していない場合には、送出時刻遅延部３２が、送出時刻確定部２３から送信された時刻未定要素毎の相対送出時刻のそれぞれに放送開始時刻を加算することにより算出した絶対送出時刻に基づいて、時刻未定要素毎に絶対送出時刻に至るか否かを監視する。何れの絶対送出時刻にも至っていない場合はステップＳ３１〜Ｓ３２の処理を行わずにステップＳ３３へ飛ぶ（ステップＳ３０）。ここでは、２００３年１２月１９日１２時５分０秒に図６に示すような時刻未定要素「トリガ１」の相対送出時刻が送信され、２００３年１２月１９日１２時１５分０秒に、時刻未定要素「トリガ１」の絶対送出時刻に至る。
【００６５】
（１１）何れかの時刻未定要素の絶対送出時刻に至った場合は、送出時刻遅延部３２が、対応する時刻未定要素の送出を遅延番組送出部３３へ指示する（ステップＳ３１）。ここでは、図８に示すような送出の指示が２００３年１２月１９日１２時１５分０秒に出される。
（１２）送出部３８が、送出時刻遅延部３２からの時刻未定要素の送出の指示に従い、対応する時刻未定要素を送出する（ステップＳ３２）。ここでは、２００３年１２月１９日１２時１５分０秒に時刻未定要素「トリガ１」を送出する。
【００６６】
（１３）時刻管理部３７が、未送出の時刻確定要素が有るか否かを判断する。未送出の時刻確定要素が無い場合は、番組放送時間長を経過するか否かの監視（ステップＳ２９）へ戻る（ステップＳ３３）。ここでは、２００３年１２月１９日１２時２０分０秒までは未送出の時刻確定要素が有ると判断し、この時刻以降は無いと判断する。
（１４）未送出の時刻確定要素が有る場合は、時刻管理部３７が、未送出かつ一番送出時刻が早い時刻確定要素に対応する相対送出時刻と当該編成情報とから求められる絶対送出時刻に至るか否かを監視する。絶対送出時刻に至っていない場合は、ステップＳ３５の処理を行わずに、時刻未定要素毎に絶対送出時刻に至るか否かの判断（ステップＳ３０）に戻る（ステップＳ３４）。ここでは、２００３年１２月１９日１２時２０分０秒に、「シーン２」が絶対送出時刻に至っていると判断する。
【００６７】
（１５）絶対送出時刻に至っている場合は、時刻管理部３７が、該当する時刻確定要素の送出を送出部３８へ指示し、送出部３８が指示された時刻確定要素の送出を開始し、時刻未定要素毎に絶対送出時刻に至るか否かの判断（ステップＳ３０）に戻る（ステップＳ３５）。ここでは、２００３年１２月１９日１２時２０分０秒に、時刻確定要素「シーン２」の送出を開始する。
【００６８】
（１６）番組放送時間長を経過している場合には、時刻管理部３７が、未処理の番組素材が有るか否かを判断する。ここで有ると判断した場合には他の番組素材の処理の為にステップＳ２５へ戻り、無いと判断した場合には処理を終了する（ステップＳ３６）。ここでは、未処理の番組素材が無いと判断して処理を終了する。
＜まとめ＞
以上のように、本発明の実施の形態１における時差データ放送システムによれば、先行番組の放送時の時刻未定要素の送出操作の際に、先行データ放送装置が相対送出時刻を算出して遅延データ放送装置に送信し、これを受信した遅延データ放送装置が遅延番組の放送時間に合わせて送出指示を遅延するので、遅延番組において未定要素を先行番組と同様のタイミングで送出することができる。
【００６９】
また先行データ放送装置２０の先行番組送出部２４と遅延データ放送装置３０の遅延番組送出部３３とは同等であり、また、先行データ放送装置２０の先行番組編成部２２と遅延データ放送装置３０の遅延番組編成部３１とは同等であり、先行データ放送装置２０と遅延データ放送装置３０とは主要部の構成が同等であるので、遅延番組を放送するために専用の装置を用いたり多くの構成を追加したりしなくてもよい。
（実施の形態２）
＜構成＞
図１１は、本発明の実施の形態２における時差データ放送システムを示す図である。
【００７０】
図１１に示すように、実施の形態２の時差データ放送システムは、番組素材制作装置１０、先行データ放送装置２０、及び遅延データ放送装置４０を備える。
ここで、実施の形態１の遅延データ放送装置３０が実施の形態２では遅延データ放送装置４０に置き換わっている。
なお、実施の形態１と同様の構成には同一番号を付し、その説明を省略する。
【００７１】
遅延データ放送装置４０は、ローカル局等において遅延番組を放送するものであり、遅延番組編成部４１、及び遅延番組送出部４２を備える。 
ここで、実施の形態１の遅延番組編成部３１が実施の形態２では遅延番組編成部４１に置き換わり、実施の形態１の遅延番組送出部３３が実施の形態２では遅延番組送出部４２に置き換わっている。
【００７２】
遅延番組編成部４１は、遅延データ放送装置４０における遅延番組の放送開始日時及び時刻等をオペレータから受け付けることにより、番組素材毎の編成情報を編成して遅延番組送出部４２に渡す。
遅延番組編成部４１により編成された編成情報の一例は、実施の形態１の遅延番組編成部３１と同様であり、図７に示すように、番組素材「番組素材１」の編成情報は、放送年月日が「２００２年１２月１９日」、放送開始時刻が「１２：１０：００」（１２時１０分０秒）である。
【００７３】
遅延番組送出部４２は、番組素材制作装置１０から送信された管理情報、及び
遅延番組編成部４１から渡された編成情報に基づいて、遅延番組を送出する。
図１１に示すように、遅延番組送出部４２は、入手部３４、分離部３５、配列部３６、配列更新部４３、時刻管理部４４、及び送出部４５を含む。
ここで、実施の形態１の時刻管理部３７が実施の形態２では時刻管理部４４に置き換わり、実施の形態１の送出部３８が実施の形態２では送出部４５に置き換わり、また、実施の形態１の送出時刻遅延部３２が削除され、配列更新部４３が追加されている。
【００７４】
配列更新部４３は、送出時刻確定部２３から送信された時刻未定要素毎の相対送出時刻を受信し、受信した時刻未定要素毎の相対送出時刻に基づいて、配列部３６により独立して保持されている時刻未定要素をそれぞれ、配列部３６により配列され保持されている時刻確定要素の配列中に挿入することにより当該配列を更新する。
例えば、図６に示すような時刻未定要素「トリガ１」の相対送出時刻「００：０５：００」（５分０秒）が、送出時刻確定部２３から送信されたとすると、配列更新部４３は、これを受信して、この相対送出時刻「００：０５：００」（５分０秒）に基づいて、配列部３６により「シーン１」、「シーン２」の順に配列され保持されている時刻確定要素の配列を、「シーン１」、「トリガ１」、「シーン２」の順に更新する。
【００７５】
時刻管理部４４は、遅延番組編成部４１から渡された編成情報に基づいて、番組素材毎に放送開始時刻に至るか否かを監視し、放送開始時刻に至った番組素材については、対応する時刻確定要素と時刻未定要素の配列の中で、未送出かつ一番送出時刻が早い時刻確定要素又は時刻未定要素に対応する相対送出時刻に基づいて、対応する時刻確定要素又は時刻未定要素が送出時刻に至るか否かを監視し、順次送出時刻に至った時刻確定要素又は時刻未定要素の送出を送出部４５へ指示する。
【００７６】
送出部４５は、時刻管理部４４からの時刻確定要素又は時刻未定要素の送出の指示に従い、配列部３６により配列され保持され配列更新部４３により更新された時刻確定要素及び時刻未定要素の配列の中の未送出かつ一番送出時刻が早い時刻確定要素又は時刻未定要素を、対応する時刻確定要素又は時刻未定要素として取得して送出する。
例えば、図２に示す管理情報であり、図７に示す編成情報であり、図６に示す相対送出時刻が受信された場合には、２００２年１２月１９日の１２時１０分０秒に「シーン１」が送出され、５分後の１２時１５分０秒に「トリガ１」が送出され、さらに５分後の１２時２０分０秒に「シーン２」が送出される。
【００７７】
＜動作＞
先行番組を放送する際の先行データ放送装置２０の動作は実施の形態１の図９と同様である。
図１２は、遅延番組を放送する際の遅延データ放送装置４０の動作を示す図である。
以下に、図２、図６、図７、図１０、及び図１２を用いて遅延番組を放送する際の遅延データ放送装置４０の動作を説明する。
【００７８】
なお、実施の形態１の図１０に示した遅延データ放送装置４０の動作と同様のステップには同一番号を付しその説明を省略する。
（１）〜（３）実施の形態１の図１０と同様（ステップＳ２１〜Ｓ２３）。
（４）遅延番組編成部４１が、番組素材毎の編成情報を編成して遅延番組送出部４２に渡す（ステップＳ４１）。ここでは、図７に示すような編成情報を編成する。
【００７９】
（５）時刻管理部４４が、遅延番組編成部４１から渡された編成情報に基づいて、番組素材毎に放送開始時刻に至るか否かを監視する（ステップＳ４２）。ここでは、図７に示すような編成情報に基づいて、番組素材「番組素材１」の放送開始時刻２００２年１２月１９日１２時１０分０秒に至るか否かを監視する。
（６）何れの番組素材の放送開始時刻にも至っていない場合は、配列更新部４３が、送出時刻確定部２３から時刻未定要素毎の相対送出時刻を受信したか否かを判断する。受信していない場合には、ステップＳ４２の処理を行わずに送開始時刻に至るか否かの監視（ステップＳ４２）に戻る（ステップＳ４３）。
【００８０】
（７）時刻未定要素毎の相対送出時刻を受信した場合には、配列更新部４３が、受信した時刻未定要素毎の相対送出時刻に基づいて、時刻確定要素と時刻未定要素とを一緒に送出時刻順に再配列して、送開始時刻に至るか否かの監視（ステップＳ４２）に戻る（ステップＳ４４）。ここでは、２００２年１２月１９日１２時５分０秒に、図６に示すような時刻未定要素「トリガ１」の相対送出時刻が送信され、配列部３６により「シーン１」、「シーン２」の順に配列され保持されている配列を、「シーン１」、「トリガ１」、「シーン２」の順に更新する。
【００８１】
（８）何れかの番組素材が放送開始時刻に至った場合は、時刻管理部４４が、放送開始時刻に至った番組素材について、対応する時刻確定要素及び時刻未定要素の配列の中で、一番送出時刻が早い時刻確定要素又は時刻未定要素に対応する相対送出時刻が「００：００：００」（０秒）であるか否かを判断する。「００：００：００」（０秒）でない場合は、ステップＳ４６の処理を行わずにステップＳ４７へ飛ぶ（ステップＳ４５）。ここでは、「シーン１」の相対送出時刻が「００：００：００」（０秒）なので、「００：００：００」（０秒）であると判断する。
【００８２】
（９）ステップＳ４５において「００：００：００」（０秒）であると判断された場合は、時刻管理部４４が該当する時刻確定要素又は時刻未定要素の送出を送出部４５へ指示し、送出部４５が指示された時刻確定要素又は時刻未定要素の送出を開始する（ステップＳ４６）。ここでは、時刻確定要素「シーン１」の送出を開始する。
（１０）時刻管理部４４が、放送開始時刻に至った番組素材の番組放送時間の計測を開始する（ステップＳ４７）。ここでは、２００２年１２月１９日１２時１０分０秒に、番組素材「番組素材１」の番組放送時間の計測を開始する。
【００８３】
（１１）時刻管理部４４が、番組放送時間長を経過するか否かを監視する（ステップＳ４８）。ここでは、図２に示すような番組放送時間長「００：２０：００」（２０分０秒）を経過するか否かを監視する。
（１２）番組放送時間長を経過していない場合には、配列更新部４３が、送出時刻確定部２３から時刻未定要素毎の相対送出時刻を受信したか否かを判断する。受信していない場合には、ステップＳ５０の処理を行わずにステップＳ５１へ飛ぶ（ステップＳ４９）。
【００８４】
（１３）時刻未定要素毎の相対送出時刻を受信した場合には、配列更新部４３が、受信した時刻未定要素毎の相対送出時刻に基づいて、時刻確定要素と時刻未定要素とを一緒に送出時刻順に再配列する（ステップＳ５０）。ここでは、２００２年１２月１９日１２時１５分０秒に、時刻未定要素「トリガ２」の相対送出時刻「００：１５：００」（１５分０秒）が送信され、配列更新部４３により「シーン１」、「トリガ１」、「シーン２」の順に再配列され保持されている配列を、「シーン１」、「トリガ１」、「シーン２」、「トリガ２」の順に更新する。
【００８５】
（１４）時刻管理部４４が、配列中に未送出の時刻確定要素又は時刻未定要素が有るか否かを判断する。配列中に未送出の時刻確定要素又は時刻未定要素が無い場合は、ステップＳ５２〜Ｓ５３の処理を行わずに番組放送時間長を経過するか否かの監視（ステップＳ４８）へ戻る（ステップＳ５１）。ここでは、２００３年１２月１９日１２時２０分０秒までは未送出の時刻確定要素が有ると判断し、この時刻以降は無いと判断する。
【００８６】
（１５）配列中に未送出の時刻確定要素又は時刻未定要素が有る場合は、時刻管理部４４が、未送出かつ一番送出時刻が早い時刻確定要素又は時刻未定要素に対応する相対送出時刻と当該編成情報とから求められる絶対送出時刻に至るか否かを監視する。絶対送出時刻に至っていない場合は、ステップＳ５３の処理を行わずに、時刻未定要素毎の相対送出時刻を受信したか否かの判断（ステップＳ４９）に戻る（ステップＳ５２）。ここでは、２００３年１２月１９日１２時１５分０秒に、「トリガ１」が絶対送出時刻に至っていると判断し、２００３年１２月１９日１２時２０分０秒に、「シーン２」が絶対送出時刻に至っていると判断し、２００３年１２月１９日１２時２５分０秒に、「トリガ２」が絶対送出時刻に至っていると判断する。
【００８７】
（１６）絶対送出時刻に至っている場合は、時刻管理部４４が、該当する時刻確定要素又は時刻未定要素の送出を送出部４５へ指示し、送出部４５が指示されたの時刻確定要素又は時刻未定要素の送出を開始し、時刻未定要素毎の相対送出時刻を受信したか否かの判断（ステップＳ４９）に戻る（ステップＳ５３）。ここでは、２００３年１２月１９日１２時１５分０秒に、時刻未定要素「トリガ１」の送出を開始し、２００３年１２月１９日１２時２０分０秒に、時刻確定要素「シーン２」の送出を開始し、２００３年１２月１９日１２時２５分０秒に、時刻未定要素「トリガ２」送出を開始する。
【００８８】
（１７）番組放送時間長を経過している場合には、時刻管理部４４が、未処理の番組素材が有るか否かを判断する。ここで有ると判断した場合には他の番組素材の処理の為にステップＳ４２へ戻り、無いと判断した場合には処理を終了する（ステップＳ５４）。ここでは、未処理の番組素材が無いと判断して処理を終了する。
＜まとめ＞
以上のように、本発明の実施の形態２における時差データ放送システムによれば、先行番組の放送時の時刻未定要素の送出操作の際に、先行データ放送装置が相対送出時刻を算出して遅延データ放送装置に送信し、これを受信した遅延データ放送装置が時刻確定要素と時刻未定要素とを一緒に送出時刻順に配列し直すので、遅延番組において未定要素を先行番組と同様のタイミングで送出することができる。
【００８９】
また先行データ放送装置２０の先行番組送出部２４と遅延データ放送装置４０の遅延番組送出部４２とは同等の構成要素が多く、また、先行データ放送装置２０の先行番組編成部２２と遅延データ放送装置４０の遅延番組編成部４１とは同等であり、先行データ放送装置２０と遅延データ放送装置４０とは主要部の構成が同等であるので、遅延番組を放送するために専用の装置を用いたり多くの構成を追加したりしなくてもよい。
（実施の形態３）
＜構成＞
図１３は、本発明の実施の形態３における時差データ放送システムを示す図である。
【００９０】
図１３に示すように、実施の形態３の時差データ放送システムは、番組素材制作装置１０、先行データ放送装置５０、及び遅延データ放送装置６０を備える。
ここで、実施の形態１の先行データ放送装置２０が実施の形態３では先行データ放送装置５０に置き換わり、実施の形態１の遅延データ放送装置３０が実施の形態３では遅延データ放送装置６０に置き換わっている。
【００９１】
なお、実施の形態１と同様の構成には同一番号を付し、その説明を省略する。
先行データ放送装置５０は、キー局等において先行番組を放送するものであり、時刻未定要素抽出部２１、先行番組編成部２２、送出時刻確定部５１、先行番組送出部２４、及び発行時刻埋込部５２を備える。
ここで、実施の形態１の送出時刻確定部２３が実施の形態３では送出時刻確定部５１に置き換わり、また、発行時刻埋込部５２が追加されている。
【００９２】
遅延データ放送装置６０は、ローカル局等において遅延番組を放送するものであり、遅延番組編成部６１、及び遅延番組送出部６２を備える。 
ここで、実施の形態１の遅延番組編成部３１が実施の形態３では遅延番組編成部６１に置き換わり、実施の形態１の遅延番組送出部３３が実施の形態３では遅延番組送出部６２に置き換わり、また、送出時刻遅延部３２が削除されている。
【００９３】
送出時刻確定部５１は、時刻未定要素抽出部２１によって登録された抽出結果に基づいて、オペレータが時刻未定要素毎にリアルタイムで送出操作を行うことによって、対応する時刻未定要素の送出を先行番組送出部２４へ指示し、また、送出を指示した絶対時刻から、先行番組の放送開始時刻を減算する事によって相対送出時刻を算出して、発行時刻埋込部５２に渡す。
【００９４】
図１４及び図１５は、送出時刻確定部５１から先行番組送出部２４への送出の指示の一例を示す図である。
図１４によれば、番組素材「番組素材１」の時刻未定要素「トリガ１」の送出の指示がなされ、図１５によれば、番組素材「番組素材１」の時刻未定要素「トリガ２」の送出の指示がなされている。
【００９５】
例えば、図１４に示すような送出の指示が「２００２年１２月１９日」、「１２：０５：００」（１２時５分０秒）に出されたとすると、送出時刻確定部５１は、この絶対時刻から、図４に示すような放送開始時刻「１２：００：００」（１２時０分０秒）を減算して、相対送出時刻「００：０５：００」（５分０秒）を算出して、番組素材「番組素材１」の時刻未定要素「トリガ１」を相対送出時刻「００：０５：００」に送出したことを意味する相対送出時刻情報を発行時刻埋込部５２に渡し、図１５に示すような送出の指示が「２００２年１２月１９日」、「１２：１５：００」（１２時１５分０秒）に出されたとすると、送出時刻確定部５１は、この絶対時刻から、図４に示すような放送開始時刻「１２：００：００」（１２時０分０秒）を減算して、相対送出時刻「００：１５：００」（５分０秒）を算出して、番組素材「番組素材１」の時刻未定要素「トリガ２」を相対送出時刻「００：１５：００」に送出したことを意味する相対送出時刻情報を発行時刻埋込部５２に渡す。
【００９６】
図１６は、送出時刻確定部５１から発行時刻埋込部５２へ渡される相対送出時刻情報の一例を示す図である。
図１６によれば、番組素材「番組素材１」の時刻未定要素「トリガ１」を相対送出時刻「００：０５：００」に送出し、番組素材「番組素材１」の時刻未定要素「トリガ２」を相対送出時刻「００：１５：００」に送出したことを意味する相対送出時刻情報が送信されている。
【００９７】
発行時刻埋込部５２は、番組素材制作装置１０から送信された番組素材及びその管理情報を一旦保持し、保持している管理情報に、送出時刻確定部５１から渡された時刻未定要素毎の相対送出時刻を埋め込み、全ての埋め込みが完了した管理情報と、保持している対応する番組素材とを遅延データ放送装置６０へ送信する。
図１７は、図２に示した管理情報に対して、発行時刻埋込部５２により全ての埋め込みが完了した管理情報の一例を示す図である。
【００９８】
図１７によれば、図２において相対送出時刻が「未定」であった「トリガ１」、「トリガ２」には、それぞれ相対送出時刻「００：０５：００」（５分０秒）、「００：１５：００」（１５分０秒）が埋め込まれており、「トリガ１」、「トリガ２」が時刻未定要素から時刻確定要素に変更されている。
遅延番組編成部６１は、遅延データ放送装置６０における遅延番組の放送開始日時及び時刻等をオペレータから受け付けることにより、番組素材毎の編成情報を編成して遅延番組送出部６２に渡す。
【００９９】
図１８は、遅延番組編成部６１により編成された編成情報の一例を示す図である。
図１８によれば、番組素材「番組素材１」の編成情報は、放送年月日が「２００２年１２月２０日」、放送開始時刻が「１２：００：００」（１２時００分０秒）である。
遅延番組送出部６２は、番組素材制作装置１０から送信された管理情報、及び
遅延番組編成部６１から渡された編成情報に基づいて、遅延番組を送出する。
【０１００】
図１３に示すように、遅延番組送出部６２は、入手部６３、分離部６４、配列部６５、時刻管理部６６、及び送出部６７を含む。
ここで、実施の形態１の入手部３４が実施の形態３では入手部６３に置き換わり、実施の形態１の分離部３５が実施の形態３では分離部６４に置き換わり、実施の形態１の配列部３６が実施の形態３では配列部６５に置き換わり、実施の形態１の時刻管理部３７が実施の形態３では時刻管理部６６に置き換わり、実施の形態１の送出部３８が実施の形態３では送出部６７に置き換わっている。
【０１０１】
入手部６３は、遅延番組の放送開始時刻より前に、先行データ放送装置５０の発行時刻埋込部５２から送信された番組素材及びその管理情報を入手する。
分離部６４は、遅延番組の放送開始時刻より前に、入手部６３により入手された管理情報に基づいて、番組素材毎に、相対送出時刻が「未定」でない要素を時刻確定要素とし、時刻確定要素を分離する。
【０１０２】
配列部６５は、分離された時刻確定要素を、それぞれの相対送出時刻に基づいて送出時刻順に配列して保持する。
時刻管理部６６は、遅延番組編成部６１から渡された編成情報に基づいて、番組素材毎に放送開始時刻に至るか否かを監視し、放送開始時刻に至った番組素材については、対応する時刻確定要素の配列の中の未送出かつ一番送出時刻が早い時刻確定要素に対応する相対送出時刻と、当該編成情報とから求められる絶対送出時刻に至るか否かを監視し、絶対送出時刻に至った時刻確定要素の送出を送出部６７へ指示する。
【０１０３】
送出部６７は、時刻管理部６６からの時刻確定要素の送出の指示に従い、配列部６５により配列され保持された時刻確定要素の配列の中の未送出かつ一番送出時刻が早い時刻確定要素を、対応する時刻確定要素として取得して送出する。
例えば、図１７に示す管理情報であり、図１８に示す編成情報である場合には、２００２年１２月２９日の１２時０分０秒に「シーン１」が送出され、５分後の１２時５分０秒に「トリガ１」が送出され、さらに５分後の１２時１０分０秒に「シーン２」が送出され、さらに５分後の１２時１５分０秒に「トリガ２」が送出される。
【０１０４】
＜動作＞
図１９は、先行番組を放送する際の先行データ放送装置５０の動作を示す図である。
以下に、図２、図４、図９、図１４〜図１７、及び図１９を用いて先行番組を放送する際の先行データ放送装置５０の動作を説明する。
なお、実施の形態１の図９に示した先行データ放送装置２０の動作と同様のステップには同一番号を付しその説明を省略する。
【０１０５】
（１）〜（４）実施の形態１の図９と同様（ステップＳ１〜Ｓ４）。
（５）先行番組編成部２２が、番組素材毎の編成情報を編成して送出時刻確定部５１、及び先行番組送出部２４に渡す（ステップＳ６１）。ここでは、図４に示すような編成情報を編成する。
（６）〜（１０）実施の形態１の図９と同様（ステップＳ６〜Ｓ１０）。
【０１０６】
（１１）番組放送時間長を経過していない場合には、送出時刻確定部５１が、
何れかの時刻未定要素の送出操作が行われたか否かを判断する。何れの時刻未定要素の送出操作も行われていない場合はステップＳ６３〜Ｓ６４の処理を行わずにステップＳ１４へ飛ぶ（ステップＳ６２）。ここでは、２００３年１２月１９日１２時５分０秒に、時刻未定要素「トリガ１」の送出操作が行われ、２００３年１２月１９日１２時１５分０秒に、時刻未定要素「トリガ２」の送出操作が行われる。
【０１０７】
（１２）何れかの時刻未定要素の送出操作が行われた場合は、送出時刻確定部５１が、対応する時刻未定要素の送出を先行番組送出部２４へ指示し、また、送出を指示した絶対時刻から、先行番組の放送開始時刻を減算する事によって相対送出時刻を算出して、発行時刻埋込部５２に渡す（ステップＳ６３）。ここでは、図１４に示すような送出の指示が２００３年１２月１９日１２時５分０秒に出され、また、この時刻から先行番組の放送開始時刻２００２年１２月１９日１２時０分０秒を減算する事によって相対送出時刻「５分０秒」を算出し、図１５に示すような送出の指示が２００３年１２月１９日１２時１５分０秒に出され、また、この時刻から先行番組の放送開始時刻２００２年１２月１９日１２時０分０秒を減算する事によって相対送出時刻「１５分０秒」を算出し、図１６に示すような相対送出時刻情報を発行時刻埋込部５２に渡す。
【０１０８】
（１３）送出部２９が、送出時刻確定部５１からの時刻未定要素の送出の指示に従い、対応する時刻未定要素を送出する（ステップＳ６４）。ここでは、２００３年１２月１９日１２時５分０秒に時刻未定要素「トリガ１」を送出する。
（１４）実施の形態１の図９と同様（ステップＳ１４）。
（１５）未送出の時刻確定要素が有る場合は、時刻管理部２８が、未送出かつ一番送出時刻が早い時刻確定要素に対応する相対送出時刻と、当該編成情報とから求められる絶対送出時刻に至るか否かを監視する。絶対送出時刻に至っていない場合は、ステップＳ６６の処理を行わずに、時刻未定要素の送出操作が行われたか否かの判断（ステップＳ６２）に戻る（ステップＳ６５）。ここでは、２００３年１２月１９日１２時１０分０秒に、「シーン２」が絶対送出時刻に至っていると判断する。
【０１０９】
（１６）絶対送出時刻に至っている場合は、時刻管理部２８が、該当する時刻確定要素の送出を送出部２９へ指示し、送出部２９が指示された時刻確定要素の送出を開始し、時刻未定要素の送出操作が行われたか否かの判断（ステップＳ６２）に戻る（ステップＳ６６）。ここでは、２００３年１２月１９日１２時１０分０秒に、時刻確定要素「シーン２」の送出を開始する。
【０１１０】
（１７）番組放送時間長を経過している場合には、発行時刻埋込部５２が、番組素材制作装置１０から送信された番組素材及びその管理情報を一旦保持し、保持している管理情報に、送出時刻確定部５１から渡された時刻未定要素毎の相対送出時刻を埋め込み、全ての埋め込みが完了した管理情報と、保持している対応する番組素材とを遅延データ放送装置６０へ送信する（ステップＳ６７）。ここでは、図２に示すような管理情報に、「トリガ１」の相対送出時刻「００：０５：００」（５分０秒）と、「トリガ２」の相対送出時刻「００：１５：００」（１５分０秒）とを埋め込み、図１７に示すような管理情報と、対応する番組素材とを遅延データ放送装置６０へ送信する。
【０１１１】
（１８）実施の形態１の図９と同様（ステップＳ１７）。
図２０は、遅延行番組を放送する際の遅延データ放送装置６０の動作を示す図である。
以下に、図１７、図１８、及び図２０を用いて遅延番組を放送する際の遅延データ放送装置６０の動作を説明する。
（１）入手部６３が、発行時刻埋込部５２から送信された番組素材及びその管理情報を入手する（ステップＳ７１）。ここでは、４つの要素「シーン１」、「シーン２」、「トリガ１」、「トリガ２」からなる番組素材「番組素材１」、及び図１７に示すような管理情報を入手する。
【０１１２】
（２）分離部６４は、入手部６３により入手された管理情報に基づいて、番組素材毎に、相対送出時刻が「未定」でない要素を時刻確定要素とし、時刻確定要素を分離する（ステップＳ７２）。ここでは、図１７に示すような管理情報に基づいて、４つの時刻確定要素「シーン１」、「シーン２」、「トリガ１」、「トリガ２」を分離する。
（３）配列部６５が、分離された時刻確定要素を、それぞれの相対送出時刻に基づいて送出時刻順に配列して保持する（ステップＳ７３）。ここでは、４つの時刻確定要素を「シーン１」、「トリガ１」、「シーン２」、「トリガ２」の順に配列して保持する。
【０１１３】
（４）遅延番組編成部６１が、番組素材毎の編成情報を編成して遅延番組送出部６２に渡す（ステップＳ７４）。ここでは、図１８に示すような編成情報を編成する。
（５）時刻管理部６６が、遅延番組編成部６１から渡された編成情報に基づいて、番組素材毎に放送開始時刻に至るか否かを監視する（ステップＳ７５）。ここでは、図１８に示すような編成情報に基づいて、番組素材「番組素材１」の放送開始時刻２００２年１２月２０日１２時０分０秒に至るか否かを監視する。
【０１１４】
（６）何れかの番組素材が放送開始時刻に至った場合は、時刻管理部６６が、放送開始時刻に至った番組素材について、対応する時刻確定要素の配列の中で、一番送出時刻が早い時刻確定要素に対応する相対送出時刻が「００：００：００」（０秒）であるか否かを判断する。「００：００：００」（０秒）でない場合は、ステップＳ７７の処理を行わずにステップＳ７８へ飛ぶ（ステップＳ７６）。ここでは、「シーン１」の相対送出時刻が「００：００：００」（０秒）なので、「００：００：００」（０秒）であると判断する。
【０１１５】
（７）ステップＳ７６において「００：００：００」（０秒）であると判断された場合は、時刻管理部６６が該当する時刻確定要素の送出を送出部６７へ指示し、送出部６７が指示された時刻確定要素の送出を開始する（ステップＳ７７）。ここでは、時刻確定要素「シーン１」の送出を開始する。
（８）時刻管理部６６が、放送開始時刻に至った番組素材の番組放送時間の計測を開始する（ステップＳ７８）。ここでは、２００２年１２月２０日１２時０分０秒に、番組素材「番組素材１」の番組放送時間の計測を開始する。
【０１１６】
（９）時刻管理部６６が、番組放送時間長を経過するか否かを監視する（ステップＳ７９）。ここでは、図１７に示すような番組放送時間長「００：２０：００」（２０分０秒）を経過するか否かを監視する。
（１０）番組放送時間長を経過していない場合には、時刻管理部６６が、未送出の時刻確定要素が有るか否かを判断する。未送出の時刻確定要素が無い場合は、番組放送時間長を経過するか否かの監視（ステップＳ７９）へ戻る（ステップＳ８０）。ここでは、２００３年１２月２０日１２時１５分０秒までは未送出の時刻確定要素が有ると判断し、この時刻以降は無いと判断する。
【０１１７】
（１１）未送出の時刻確定要素が有る場合は、時刻管理部６６が、未送出かつ一番送出時刻が早い時刻確定要素に対応する相対送出時刻と当該編成情報とから求められる絶対送出時刻に至るか否かを監視する。絶対送出時刻に至っていない場合は、ステップＳ８２の処理を行わずに、未送出の時刻確定要素が有るか否かの判断（ステップＳ８０）に戻る（ステップＳ８１）。ここでは、２００３年１２月２０日１２時５分０秒に、「トリガ１」が絶対送出時刻に至っていると判断し、２００３年１２月２０日１２時１０分０秒に、「シーン２」が絶対送出時刻に至っていると判断し、２００３年１２月２０日１２時１５分０秒に、「トリガ２」が絶対送出時刻に至っていると判断する。
【０１１８】
（１２）絶対送出時刻に至っている場合は、時刻管理部６６が、該当する時刻確定要素の送出を送出部６７へ指示し、送出部６７が指示された時刻確定要素の送出を開始し、未送出の時刻確定要素が有るか否かの判断（ステップＳ８０）に戻る（ステップＳ８２）。ここでは、２００３年１２月２０日１２時５分０秒に、時刻確定要素「トリガ１」の送出を開始し、２００３年１２月２０日１２時１０分０秒に、時刻確定要素「シーン２」の送出を開始し、２００３年１２月２０日１２時１５分０秒に、時刻確定要素「トリガ２」の送出を開始する。
【０１１９】
（１３）番組放送時間長を経過している場合には、時刻管理部６６が、未処理の番組素材が有るか否かを判断する。ここで有ると判断した場合には他の番組素材の処理の為にステップＳ７５へ戻り、無いと判断した場合には処理を終了する（ステップＳ８３）。ここでは、未処理の番組素材が無いと判断して処理を終了する。
＜まとめ＞
以上のように、本発明の実施の形態３における時差データ放送システムによれば、先行番組の放送時の時刻未定要素の送出操作の際に、先行データ放送装置が相対送出時刻を算出して管理情報に埋め込んで遅延データ放送装置に送信するので、遅延番組において未定要素を先行番組と同様のタイミングで送出することができる。
【０１２０】
また先行データ放送装置５０の先行番組送出部２４と遅延データ放送装置６０の遅延番組送出部６２とは同等の構成要素が多く、また、先行データ放送装置５０の先行番組編成部２２と遅延データ放送装置６０の遅延番組編成部６１とは同等であり、先行データ放送装置５０と遅延データ放送装置６０とは主要部の構成が同等であるので、遅延番組を放送するために専用の装置を用いたり多くの構成を追加したりしなくてもよい。
【産業上の利用可能性】
【０１２１】
本発明は、地上波デジタル放送の系列におけるネット放送に適用することができる。本発明によって、専用の装置を用いたり多くの構成を追加したりせずに時差放送を実現することができ、キー局と系列ローカル局で番組素材ファイルを交換し同様の装置を用いて放送を行うことができるので、その産業的利用価値は極めて高い。
また、地上波デジタル放送だけでなく、あらゆる時差放送に適用することができる。
【図面の簡単な説明】
【０１２２】
【図１】図１は、本発明の実施の形態１における時差データ放送システムを示す図である。
【図２】図２は、番組素材制作装置１０により制作された管理情報の一例を示す図である。
【図３】図３は、時刻未定要素抽出部２１による抽出結果の一例を示す図である。
【図４】図４は、先行番組編成部２２により編成された編成情報の一例を示す図である。
【図５】図５は、送出時刻確定部２３から先行番組送出部２４への送出の指示の一例を示す図である。
【図６】図６は、送出時刻確定部２３から遅延データ放送装置３０へ送信される相対送出時刻情報の一例を示す図である。
【図７】図７は、遅延番組編成部３１により編成された編成情報の一例を示す図である。
【図８】図８は、送出時刻遅延部３２から遅延番組送出部３３への送出の指示の一例を示す図である。
【図９】図９は、先行番組を放送する際の先行データ放送装置２０の動作を示す図である。
【図１０】図１０は、遅延行番組を放送する際の遅延データ放送装置３０の動作を示す図である。
【図１１】図１１は、本発明の実施の形態２における時差データ放送システムを示す図である。
【図１２】図１２は、遅延番組を放送する際の遅延データ放送装置４０の動作を示す図である。
【図１３】図１３は、本発明の実施の形態３における時差データ放送システムを示す図である。
【図１４】図１４は、送出時刻確定部５１から先行番組送出部２４への送出の指示の一例を示す図である。
【図１５】図１５は、送出時刻確定部５１から先行番組送出部２４への送出の指示の一例を示す図である。
【図１６】図１６は、送出時刻確定部５１から発行時刻埋込部５２へ渡される相対送出時刻情報の一例を示す図である。
【図１７】図１７は、図２に示した管理情報に対して、発行時刻埋込部５２により全ての埋め込みが完了した管理情報の一例を示す図である。
【図１８】図１８は、遅延番組編成部６１により編成された編成情報の一例を示す図である。
【図１９】図１９は、先行番組を放送する際の先行データ放送装置５０の動作を示す図である。
【図２０】図２０は、遅延行番組を放送する際の遅延データ放送装置６０の動作を示す図である。
【符号の説明】
【０１２３】
１０    番組素材制作装置
２０    先行データ放送装置
２１    時刻未定要素抽出部
２２    先行番組編成部
２３    送出時刻確定部
２４    先行番組送出部
２５    入手部
２６    分離部
２７    配列部
２８    時刻管理部
２９    送出部
３０    遅延データ放送装置
３１    遅延番組編成部
３２    送出時刻遅延部
３３    遅延番組送出部
３４    入手部
３５    分離部
３６    配列部
３７    時刻管理部
３８    送出部
４０    遅延データ放送装置
４１    遅延番組編成部
４２    遅延番組送出部
４３    配列更新部
４４    時刻管理部
４５    送出部
５０    先行データ放送装置
５１    送出時刻確定部
５２    発行時刻埋込部
６０    遅延データ放送装置
６１    遅延番組編成部
６２    遅延番組送出部
６３    入手部
６４    分離部
６５    配列部
６６    時刻管理部
６７    送出部
【図１】
2004215243.tif 000003
【図２】
2004215243.tif 000004
【図３】
2004215243.tif 000005
【図４】
2004215243.tif 000006
【図５】
2004215243.tif 000007
【図６】
2004215243.tif 000008
【図７】
2004215243.tif 000009
【図８】
2004215243.tif 000010
【図９】
2004215243.tif 000011
【図１０】
2004215243.tif 000012
【図１１】
2004215243.tif 000013
【図１２】
2004215243.tif 000014
【図１３】
2004215243.tif 000015
【図１４】
2004215243.tif 000016
【図１５】
2004215243.tif 000017
【図１６】
2004215243.tif 000018
【図１７】
2004215243.tif 000019
【図１８】
2004215243.tif 000020
【図１９】
2004215243.tif 000021
【図２０】
2004215243.tif 000022